(57)【要約】  【課題】障子の閉鎖状態時にのみ施錠を可能とするクレセント錠とする。  【解決手段】施錠側金具のベース部材３内部に、一部に傾斜辺１５ａ及び回動阻止部１５ｃを有し、上下方向に移動可能に配設されるとともに、弾発部材１８により付勢保持されたスライド部材１５と、一端側が室外障子側に突出するとともに、他端側が前記スライド部材１５の傾斜辺１５ａに摺接し、没入により前記スライド部材１５を付勢力に抗して上下方向に移動させるトリガー部材１６と、前記回動軸４と連結され、前記トリガー部材１６の非没入時には前記スライド部材１５の回動阻止部１５ｃに衝合して回動が阻止されるとともに、前記トリガー部材１６の没入によりスライド部材１５が移動された際に回動が許容される回動子１７とが設けられ、一方前記クレセント受け金具１１に、障子の閉鎖状態時に前記トリガー部材１６を没入させる突出段部１１ｂを設ける。【選択図】図３
2005264566.tif 000002
【特許請求の範囲】
【請求項１】
室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、一部に傾斜辺を有するとともに、回動阻止部を有し、上下方向に移動可能に配設されるとともに、弾発部材により付勢保持されたスライド部材と、一端側が室外障子側に突出するとともに、他端側が前記スライド部材の傾斜辺に摺接し、没入動作により前記スライド部材を付勢力に抗して上下方向に移動させるトリガー部材と、前記回動軸と連結され、前記トリガー部材の非没入時には前記スライド部材の回動阻止部に衝合して回動が阻止されるとともに、前記トリガー部材の没入によりスライド部材が移動された際に回動が許容される回動子とが設けられ、前記クレセント受け金具に、障子の閉鎖状態時に前記トリガー部材が乗り上げ、該トリガー部材を没入させるための突出段部を設けたことを特徴とするクレセント錠。
【発明の詳細な説明】
【技術分野】
【０００１】
本発明は、室内障子及び室外障子が共に閉鎖された状態時にのみ施錠を可能とした空掛け防止機能付きのクレセント錠に関する。
【背景技術】
【０００２】
従来より、引き違い窓等のサッシ用施錠装置としてクレセント錠が知られている。このクレセント錠は、図１１に示されるように、室内障子５４の縦框に取り付けられるベース部材５１と、このベース部材５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【０００３】
上記クレセント錠５０の場合は、内障子又は外障子が開放状態にあっても、クレセント５２を回動させることが可能であり、この施錠状態のまま障子を閉めると、外障子の縦框（召合せ框含む。）が室外側に突出したクレセント５２に衝突し、クレセントが変形したり損傷したりすることがあった。
【０００４】
上記問題を解決するために、例えば下記特許文献２〜４では、内障子及び外障子が正常閉鎖位置にあるとき以外はクレセント錠のハンドルが施錠方向に回転しないようにしたクレセント錠が提案されている。
【０００５】
前記特許文献２，３で提案されているクレセント錠は、外障子側へ突出した状態でハンドルの回動を阻止している突出部（感知部）を有しており、内障子および外障子を閉鎖したときに上記突出部が外障子の召合せ框に接触して没入することによりハンドルの回動阻止状態が解除されるように構成されたものであり、特許文献４で提案されているクレセント錠は、基台とクレセントとの間においてクレセント軸に回転自在に嵌め被せられ、かつクレセントの回転に伴ってこれと同方向に回転してその一部が内側障子の縦框の外面よりも外方に突出するようになされた施錠可能位置確認部材と、受け金に設けられかつクレセントと受け金とが施錠可能位置にあるときにクレセントとともに回転した施錠可能位置確認部材の一部が当接する当接部と、施錠可能位置確認部材の一部が受け金の当接部に当接した場合にクレセントのそれ以上の施錠方向への回転を許容するとともに、施錠可能位置確認部材の一部が受け金の当接部に当接しない場合にクレセントのそれ以上の施錠方向への回転を阻止する手段とを備えているものである。
【０００６】
さらに下記特許文献５では、室内障子及び室外障子が共に閉鎖された状態にある時以外は、クレセント錠の操作レバーが施錠方向に回動できないようにした空掛け防止機能を備えたクレセント錠が提案されている。具体的に、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【特許文献１】特開平１１−９３４８８号公報
【特許文献２】実公昭５７−５２３０３号公報
【特許文献３】実開昭５８−２５４６７号公報
【特許文献４】特開平９−２１７５３７号公報
【特許文献５】特開平９−１５８５８４号公報
【発明の開示】
【発明が解決しようとする課題】
【０００７】
しかしながら、上記特許文献２、３に記載されるクレセント錠の場合には、内障子や外障子を開閉する度に上記突出部が外障子の縦框等に接触するため、縦框に擦り傷が生じるようになる。また、前記突出部を外障子に対して接触させるためには、突出部側の機構を内障子の縦框内部に組み込まなければならず、構造が複雑化するなどの問題がある。
【０００８】
また、前記特許文献４に記載されるクレセント錠の場合には、受け金にＬ字状の屈曲する当接部を連設するものであり、この当接部が衣類に引っ掛かったり、手に切り傷を負う原因となるなどの問題がある。
【０００９】
さらに、前記特許文献５に記載されるクレセント錠の場合には、前記揺動体の他端が上記クレセント受けもしくは外障子の召合せ框に当接する反力によって作動するとともに、前記揺動体がクレセント受け金具の表面を摺接するため、操作レバーの回動操作の抵抗が大きくなるため施錠操作がしづらいなどの問題があった。
【００１０】
そこで本発明の主たる課題は、空掛け防止機能を備えたクレセント錠であって、室外障子の縦框に擦り傷を付けることが無いとともに、操作レバーの回動操作も通常のクレセントと同様の力で容易に回動操作できるようにしたクレセント錠を提供することにある。
【課題を解決するための手段】
【００１１】
前記課題を解決するために請求項１に係る本発明として、室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるクレセント錠において、
前記施錠側金具のベース部材内部に、一部に傾斜辺を有するとともに、回動阻止部を有し、上下方向に移動可能に配設されるとともに、弾発部材により付勢保持されたスライド部材と、一端側が室外障子側に突出するとともに、他端側が前記スライド部材の傾斜辺に摺接し、没入動作により前記スライド部材を付勢力に抗して上下方向に移動させるトリガー部材と、前記回動軸と連結され、前記トリガー部材の非没入時には前記スライド部材の回動阻止部に衝合して回動が阻止されるとともに、前記トリガー部材の没入によりスライド部材が移動された際に回動が許容される回動子とが設けられ、前記クレセント受け金具に、障子の閉鎖状態時に前記トリガー部材が乗り上げ、該トリガー部材を没入させるための突出段部を設けたことを特徴とするクレセント錠が提供される。
【００１２】
上記請求項１記載の発明においては、トリガー部材がクレセント受け金具の突出段部に乗上げると没入動作し、スライド部材を上下方向に移動させる。このスライド部材が上下方向に移動されると、クレセントの回動軸に一体的に設けられた回動子の回動を阻止している前記スライド部材の回動阻止部が待避し、操作レバーの回動が許容されるようになる。
【００１３】
従って、前記トリガー部材は外障子と接触することがないので、室外障子の縦框に擦り傷を付けることが無いとともに、操作レバーの回動操作も通常のクレセントと同様の力で回動操作できるようになる。
【発明の効果】
【００１４】
以上詳説のとおり本発明によれば、空掛け防止機能を備えたクレセント錠であって、室外障子の縦框に擦り傷を付けることが無いとともに、操作レバーの回動操作も通常のクレセントと同様の力で回動操作できるようになる。
【発明を実施するための最良の形態】
【００１５】
以下、本発明の実施の形態について図面を参照しながら詳述する。
図１は本発明に係るクレセント錠１の障子への取付状態を示す要部平面図であり、図２(A)は前記クレセント錠１の正面図、(B)は室内側からの視図（縦断面図）、図３(A)は施錠状態、(B)は解錠状態を夫々示す正面図である。
【００１６】
前記クレセント錠１は、図１および図２に示されるように、室内障子７の召合せ縦框７Ａにビス孔９，９を介してビス等で取り付けられるベース部材３と、このベース部材３に対して回動軸４を回転中心として回動自在に取り付けられたクレセント５と、前記回動軸４と一体的に連設された操作レバー６とからなる施錠側金物２、及び室外障子８の召合せ框８Ａにビス孔１０，１０を介してビス等で取り付けられ、前記クレセント５が係合するためのフック１１ａを備えたクレセント受け金具１１からなる。
【００１７】
前記クレセント錠１は、図２および図３に示されるように、前記操作レバー６を摘み、クレセント５をほぼ１８０度範囲で回動させることにより、クレセント５の周囲に形成された、壁高を漸次テーパー状に変化させた環状周壁５Ａが前記クレセント受け金具１１に対して係脱し、窓の施錠または解錠が成されるようになっている。なお、符号１２はベース部材３の一端とクレセント５とを後述する回動子１７を介して間接的に連結している第１バネ部材であり、クレセント５の回動時に操作レバー６が水平の状態から施錠位置および解錠位置に対して付勢させるためのものである。また、符号１３は上下方向にスライド可能に設けられたロック片であり、ロック時には図３(A)に示されるように、クレセント５の回動範囲内に位置しクレセント５が回動できないように阻止するようになっており、特に図示の例では開閉表示が設けられ、前記クレセント５の回動が可能か否か一目で確認できるように配慮されている。また、ロック時にはベース部材３に埋め込まれた蛍光材３ａが露出することにより施錠の確認ができるように配慮されている。
【００１８】
本クレセント錠１では、室内障子７及び室外障子８が共に閉鎖された状態にある時以外は、クレセント上の操作レバー６が施錠方向に回動できないようにした空掛け防止装置１４を備えている。すなわち、図３(B)に示されるように、室内障子及び室外障子（図３以降では図示せず）共に閉鎖されていなければ、操作レバー６は解錠状態で回動が阻止され操作できないようになっている。
【００１９】
前記空掛け防止装置１４は、図３に示されるように、前記ベース部材３の内部に、上下方向に移動可能に設けられたスライド部材１５と、一端側１６ａが室外障子側に突出するとともに、他端側１６ｂが前記スライド部材１５に摺接し、没入動作により前記スライド部材１５を上下方向に移動させるトリガー部材１６と、前記回動軸４に連結され、前記スライド部材１５との衝合により障子が正常に閉鎖されているときのみ回動が許容される回動子１７とが設けられ、前記クレセント受け金具１１に、障子の閉鎖状態時にトリガー部材１６が乗り上げ、該トリガー部材１６を没入させるための突出段部１１ｂを設けた構成となっている。
【００２０】
以下、前記空掛け防止装置１４について、さらに詳細に部材毎に構造を詳述するとともに、作動状態について詳述する。
【００２１】
先ず、前記スライド部材１５は、図４に示されるように、内部に大きな開口１５ｂが形成された略板状の部材であり、取付状態で室外障子側となる辺の上部に、トリガー部材１６の他端側１６ｂが摺接する傾斜辺１５ａが形成されているとともに、下端部の一方側寄り位置には外方に突出して回動子１７の回動阻止部１５ｃが形成されている。また、下端面にはバネ用係合突起１５ｄが設けられている。ベース部材３に対する取付状態では、一端がベース部材３に係合し他端が前記バネ用係合突起１５ｄに係合したバネ材１８により上方側に付勢保持された状態で配設される。
【００２２】
次いで、前記トリガー部材１６は、図５に示されるように、一端側に船先状に尖った尖鋭部１６ａが形成されるとともに、他端側１６ｂに前記スライド部材１５の傾斜辺１５ａに摺接する傾斜面１６ｃが形成された小片部材であり、側部にはストッパー用突片１６ｄが形成されている。ベース部材３に対する取付け状態では、ベース部材３の室外障子側の壁面に形成された開口３ｂから尖鋭部１６ａ側を突出させるとともに、他端側の傾斜面１６ｃをスライド部材１５の傾斜辺１５ａに摺接させたた状態で組み付けられる。
【００２３】
一方、前記回動子１７は、図６に示されるように、内部に回動軸４の挿通孔１７ａが形成された略馬蹄形状の小片部材であり、表面側には第１バネ部材１２の係止突起１７ｃが形成されているとともに、下端側部には他の部分よりも肉厚とされる衝合部１７ｂが形成されている。ベース部材３に対する取付け状態では、前記スライド部材１５の上面に位置させながらクレセント５の回動軸４を挿通孔１７ａに通しカシメることによって抜脱不能に取り付けられる。
【００２４】
一方、クレセント受け金具は、図１０に示されるように、略方形金属板の内部が切り抜かれ、先端側枠片部１１Ａ、上部枠片部１１Ｂ及び下部枠片部１１Ｃを有し、前記先端側枠片部１１Ａの内側部分にフック１１ａが形成され、切り抜き部の基端がわ側辺部分に障子側に突出した突出段部１１ｂが形成されている。
【００２５】
次に、前述したクレセント錠１の作動状態を図７〜図９により説明する。図７は室内障子及び／又は室外障子が開放されているため施錠側金物２が施錠不能となっている場合の状態図であり、図８は室内障子及び室外障子が共に閉鎖されているため施錠が可能となっている場合のクレセント錠１の作動図であり、図９はその空掛け防止装置１４の作動図である。
【００２６】
前記クレセント錠１は、室内障子及び／又は室外障子が開放されている状態の場合には、図７および図９(A)に示されるように、前記トリガー部材１６が室外障子側に突出した状態とされ、回動子１７の衝合部１７ｂがスライド部材１５の回動阻止部１５ｃに衝合しているため回転が規制され、操作レバー６は回動できず施錠が不能な状態となっている。
【００２７】
前記室内障子及び室外障子を共に閉鎖すると、図８(A)および図９(B)に示されるように、前記トリガー部材１６の尖鋭部１６ａがクレセント受け金具１１の突出段部１１ｂに乗り上げるように位置し、トリガー部材１６がベース部材３側に没入する。前記トリガー部材１６は第２バネ部材１８の付勢力に抗してスライド部材１５を押し下げ、前記回動子１７の衝合部１７ｂと、スライド部材１５の回動阻止部１５ｃとの衝合関係が解除され、回動子１７が自由に回動可能な状態となるため、図８及び図９(C)に示されるように、操作レバー６を１８０°回動させることにより施錠を成すことができる。
【００２８】
その後に、前記操作レバー６を反対側に１８０°回動することにより解錠し、室内障子または室外障子を開放すると、トリガー部材１６が突出しながら、第２バネ部材１８の付勢力によりスライド部材１５が上方に移動し、スライド部材１５の回動阻止部１５ｃと回動子１７の衝合部１７ｂとが再び衝合する関係となり、前記回動子１７の回動動作を阻止する状態となるため、操作レバー６の回動操作が不能となる。
【図面の簡単な説明】
【００２９】
【図１】本発明に係るクレセント錠１の障子への取付状態を示す要部平面図である。
【図２】(A)は前記クレセント錠１の正面図、(B)は室内側からの視図（縦断面図）である。
【図３】クレセント錠１の(A)は施錠状態、(B)は解錠状態を示す裏面図である。
【図４】スライド部材１５の(A)は左側面図、(B)は正面図、(C)は右側面図である。
【図５】トリガー部材１６の(A)は左側面図、(B)は平面図、(C)は正面図である。
【図６】回動子１７の(A)は左側面図、(B)は正面図、(C)は右側面図である。
【図７】クレセント錠１の施錠不能状態図である。
【図８】クレセント錠１の施錠可能状態における作動図(A)〜(C)である。
【図９】空掛け防止装置１４の作動図(A)〜(D)である。
【図１０】クレセント受け金具１１の(A)は正面図、(B)は水平横断面図である。
【図１１】従来のクレセント錠を示す斜視図である。
【符号の説明】
【００３０】
１…クレセント錠、２…施錠側金物、３…ベース部材、４…回動軸、５…クレセント、６…操作レバー、７…室内障子、８…室外障子、１１…クレセント受け金具、１２…第１バネ部材、１３…ロック片、１４…空掛け防止装置、１５…スライド部材、１６…トリガー部材、１７…回動子、１８…第２バネ部材
【図１】
2005264566.tif 000003
【図２】
2005264566.tif 000004
【図３】
2005264566.tif 000005
【図４】
2005264566.tif 000006
【図５】
2005264566.tif 000007
【図６】
2005264566.tif 000008
【図７】
2005264566.tif 000009
【図８】
2005264566.tif 000010
【図９】
2005264566.tif 000011
【図１０】
2005264566.tif 000012
【図１１】
2005264566.tif 000013